(57)【特許請求の範囲】
【請求項１】
先端にプラグ栓刃刃受部（５１）と、該プラグ栓刃刃受部（５１）の長手方向後方に電源電線接続端子（５２ａ）と送り配線接続端子（５２ｂ）を設けた電線鎖錠部（５２）と、
該電線鎖錠部（５２）の後面と連続一体にアレスタ用刃受部（５３）を形成した電源端子（５０）と、先端にプラグ栓刃刃受部（５６）と、該プラグ栓刃受部（５６）の長手方向後方に電源電線接続端子（５７ａ）と送り配線接続端子（５７ｂ）を設けた電線鎖錠部（５７）と、該電線鎖錠部（５７）の後面と連続一体にアレスタ用刃受部（５８）を形成した電源端子（５５）と、先端にアース栓刃刃受部（６１）と、該アース栓刃刃受部（６１）の長手方向後方に電源電線接続端子（６２ａ）と送り配線接続端子（６２ｂ）を設けた電線鎖錠部（６２）と、該電線鎖錠部（６２）の後面と連続一体にアレスタ用刃受部（６３）を形成したアース端子（６０）とを、器台（１１）に設けた電線鎖錠部収納室（１３）及び刃受部収納室（１６）、電線鎖錠部収納室（１７）及び刃受部収納室（２０）、電線鎖錠部収納室（２１）及び刃受部収納室（２４）内に夫々収納し、
前記器台（１１）上に前記刃受部収納室（１６）、刃受部収納室（２０）、刃受部収納室（２４）に開口するアレスタ栓刃差込口（３２）、アレスタ栓刃差込口（３３）、アレスタ栓刃差込口（３４）を設けた蓋体（３０）を被せ、前記器台（１１）と前記蓋体（３０）の先端部に、プラグ栓刃差込口（４１）、プラグ栓刃差込口（４１）、アース栓刃差込口（４２）を設けた前面カバー（４０）を嵌装したコンセント本体（１０）と、
前方に突出する突出板部（８２）を両側に設け、耐雷素子を含む構成部品を搭載し、電源栓刃（８３）、電源栓刃（８４）、アース栓刃（８５）を立設したアレスタ基板（８１）を、該アレスタ基板（８１）に設けた電源栓刃（８３）、電源栓刃（８４）、アース栓刃（８５）が位置する前面開放空間部（９３）とその上縁から前方に突出するヒサシ（９１）と、前方開放空間部（９３）の両側に中空袖部（９４）を設け、後壁底縁に底板（９７）を開閉自在にヒンジ結合したアレスタ基板収納ケース（９０）内に収納したアレスタユニット（８０）と、からなり、
前記アレスタユニット（８０）に設けた電源栓刃（８３）、電源栓刃（８４）、アース栓刃（８５）を、コンセント本体（１０）内に収納の電源端子（５０）に設けたアレスタ用刃受部（５３）、電源端子（５５）に設けたアレスタ用刃受部（５８）、アース端子（６０）に設けたアレスタ用刃受部（６３）に接続してアレスタユニット（８０）とコンセント本体（１０）とを電気的に接続し、前記コンセント本体（１０）と前記アレスタユニット（８０）を絶縁ケース（２）内に収納したことを特徴とする雷保護機能付防雨コンセント。
【発明の詳細な説明】
【技術分野】
【０００１】  本発明は雷保護機能付防雨コンセントに関するものである。
【背景技術】
【０００２】  従来、防雨コンセントに接続された電気機器を雷サージから保護するには、図１７に示すように外壁面に設けた防雨ケース１１０内に屋内用のコンセント１１１とアレスタ１１２を収納し、アレスタ１１２から引き出した電源線とアース線をコンセント１１１に設けた送り配線用端子に接続し、コンセント１１１に接続されたモーターなどの電気機器に雷サージ電圧が印加されるのを防止する方法や、【０００３】  図１８に示すように外壁面に防雨コンセント１１５とアレスタ１１６を夫々設置し、アレスタ１１６から引き出した電源線とアース線を防雨コンセント１１５に設けた送り配線用端子に接続し、防雨コンセント１１５に接続されたモーター等の電気機器に雷サージ電圧が印加されるのを防止する方法や、【０００４】  図１９に示すように防雨コンセント１２０と壁面との間にアレスタ１２１を設置し、アレスタ１２１から引き出した電源線とアース線を防雨コンセント１２０に設けた送り配線用端子に接続し、防雨コンセント１２０に接続されたモーター等の電気機器に雷サージ電圧が印加されるのを防止する方法が知られている。
【特許文献１】特開２００３−２４３１２５公報。
【発明の開示】
【発明が解決しようとする課題】
【０００５】  しかしながら、外壁面に設けた防雨ケース１１０内に屋内用のコンセント１１１とアレスタ１１２を収納し、アレスタ１１２から引き出した電源線とアース線をコンセント１１１に設けた送り配線用端子に接続してコンセント１１１に接続された電気機器に雷サージ電圧が印加されるのを防止する方法においては、大型の防雨ケース１１０を必要とするばかりでなく、その設置場所に制約を受け、さらに、コンセント１１１とアレスタ１１２との電気的接続に、コンセント１１１に設けた送り配線用の接続端子を使用するため送り配線ができず、また、送り配線用の接続端子を生かす場合には、コンセント１１１とアレスタ１１２とを電気的に接続するための分岐部材を必要とする等の問題点がある。【０００６】  また、外壁面に防雨コンセント１１５とアレスタ１１６を設置する方法においては、防雨コンセント１１５とアレスタ１１６を壁面に個別に設置しなければならないために作業が面倒なばかりでなく、その設置場所に制約を受け、さらに、前述したと同様に防雨コンセント１１５とアレスタ１１６との電気的接続に、防雨コンセント１１５に設けた送り配線用の接続端子を使用するため送り配線ができず、また、送り配線用の接続端子を生かす場合には、防雨コンセント１１５とアレスタ１１６とを電気的に接続するための分岐部材を必要とする等の問題点がある。【０００７】  さらにまた、防雨コンセント１２０と壁面との間にアレスタ１２１を設置する方法においては、高さ方向において大型化するため狭い通路では歩行の邪魔になるばかりでなく機械的外力により破損する惧れがあり、また、前述したと同様に防雨コンセント１２０とアレスタ１２１との電気的接続に、防雨コンセント１２０に設けた送り配線用の接続端子を使用するため送り配線ができず、また、送り配線用の接続端子を生かす場合には、防雨コンセント１２０とアレスタ１２１とを電気的に接続するための分岐部材を必要とする等の問題点がある。【０００８】  本発明は上記問題点を解消する目的でなされたもので、全体形状を大型化することなく、しかも、製造及び保守が容易な雷保護機能付防雨コンセントを提供することを目的とする。
【課題を解決するための手段】
【０００９】
本発明は、先端にプラグ栓刃刃受部（５１）と、該プラグ栓刃刃受部（５１）の長手方向後方に電源電線接続端子（５２ａ）と送り配線接続端子（５２ｂ）を設けた電線鎖錠部（５２）と、該電線鎖錠部（５２）の後面と連続一体にアレスタ用刃受部（５３）を形成した電源端子（５０）と、先端にプラグ栓刃刃受部（５６）と、該プラグ栓刃受部（５６）の長手方向後方に電源電線接続端子（５７ａ）と送り配線接続端子（５７ｂ）を設けた電線鎖錠部（５７）と、該電線鎖錠部（５７）の後面と連続一体にアレスタ用刃受部（５８）を形成した電源端子（５５）と、先端にアース栓刃刃受部（６１）と、該アース栓刃刃受部（６１）の長手方向後方に電源電線接続端子（６２ａ）と送り配線接続端子（６２ｂ）を設けた電線鎖錠部（６２）と、該電線鎖錠部（６２）の後面と連続一体にアレスタ用刃受部（６３）を形成したアース端子（６０）とを、器台（１１）に設けた電線鎖錠部収納室（１３）及び刃受部収納室（１６）、電線鎖錠部収納室（１７）及び刃受部収納室（２０）、電線鎖錠部収納室（２１）及び刃受部収納室（２４）内に夫々収納し、前記器台（１１）上に前記刃受部収納室（１６）、刃受部収納室（２０）、刃受部収納室（２４）に開口するアレスタ栓刃差込口（３２）、アレスタ栓刃差込口（３３）、アレスタ栓刃差込口（３４）を設けた蓋体（３０）を被せ、前記器台（１１）と前記蓋体（３０）の先端部に、プラグ栓刃差込口（４１）、プラグ栓刃差込口（４１）、アース栓刃差込口（４２）を設けた前面カバー（４０）を嵌装したコンセント本体（１０）と、
【００１０】
前方に突出する突出板部（８２）を両側に設け、耐雷素子を含む構成部品を搭載し、電源栓刃（８３）、電源栓刃（８４）、アース栓刃（８５）を立設したアレスタ基板（８１）を、該アレスタ基板（８１）に設けた電源栓刃（８３）、電源栓刃（８４）、アース栓刃（８５）が位置する前面開放空間部（９３）とその上縁から前方に突出するヒサシ（９１）と、前方開放空間部（９３）の両側に中空袖部（９４）を設け、後壁底縁に底板（９７）を開閉自在にヒンジ結合したアレスタ基板収納ケース（９０）内に収納したアレスタユニット（８０）と、からなり、
【００１１】
前記アレスタユニット（８０）に設けた電源栓刃（８３）、電源栓刃（８４）、アース栓刃（８５）を、コンセント本体（１０）内に収納の電源端子（５０）に設けたアレスタ用刃受部（５３）、電源端子（５５）に設けたアレスタ用刃受部（５８）、アース端子（６０）に設けたアレスタ用刃受部（６３）に接続してアレスタユニット（８０）とコンセント本体（１０）を電気的に接続し、
前記コンセント本体（１０）と前記アレスタユニット（８０）を絶縁ケース（２）内に収納して雷保護機能付防雨コンセントを構成した。
【発明の効果】
【００１２】  アレスタユニット８０に設けた電源栓刃８３、電源栓刃８４、アース栓刃８５を、コンセント本体１０内に収納された電源端子５０に設けたアレスタ用刃受部５３、電源端子５５に設けたアレスタ用刃受部５８、アース端子６０に設けたアレスタ用刃受部６３に接続してアレスタユニット８０とコンセント本体１０とを電気的に接続し、電気的に接続したコンセント本体１０とアレスタユニット８０を絶縁ケース２内に収納するだけの極めて簡単な作業で雷保護機能付防雨コンセントを製造し得るばかりでなく、送り配線機能を失することもなく、また、アレスタ基板８１はコンセント本体１０とアレスタ基板収納ケース９０とにより完全に囲われた状態にあるので、雷撃によりアース等の機器が破損した場合であってもコンセント本体１０の機能に何等支障を来たすことはない。従って、アレスタ回路がその機能を失した場合には、コンセント本体１０と電気的に接続したアレスタユニット８０を取り出しアレスタ基板８１を交換するだけの極めて簡単な作業で雷保護機能を回復し得る。さらに、アレスタユニット８０を接続したコンセント本体１０を収納する絶縁ケース２の外形寸法を従来の防雨コンセントと同一寸法とし得るので、設置場所等に制約を受けることもない。
【発明を実施するための最良の形態】
【００１３】  以下、本発明を実施するための最良の形態を図面により説明する。
【実施例】  図１は本発明を前方から見た斜視図、図２は本発明を後方から見た斜視図である。図において１は雷保護機能付防雨コンセント本体、２は絶縁ケース、３は防雨カバー、４は防水パッキン、５はアースターミナル、６は後述するアレスタ基板に搭載されたＬＥＤの点灯を確認するための窓孔（図２参照）、１０は絶縁ケース２内に収納された後述するコンセント本体である。【００１４】  図３はコンセント本体を示す斜視図、図４はコンセント本体を裏面から見た斜視図である。図３において１０はコンセント本体、１１は後述する器台で、該器台１１の裏面には図４に示すように電線差込孔１４、送り配線差込孔１４ａ、ドライバー等の工具差込口１５、電線差込孔１８、送り配線差込孔１８ａ、工具差込口１９、電線差込孔２２、送り配線差込孔２２ａ、工具差込口２３が設けられている。なお、電線差込孔と送り配線差込孔は、特に使い分けする必要はない。【００１５】  図５はコンセント本体１０を構成する器台を示す斜視図である。図において１１は器台、１２は刃受部収納空室で、該刃受部収納空室１２内には図７に示す電源端子５０に設けたプラグ栓刃刃受部５１、電源端子５５に設けたプラグ栓刃刃受部５６及びアース端子６０に設けたアース栓刃刃受部６１が収納される。１３は電線鎖錠部収納室で、該電線鎖錠部収納室１３内には図７に示す電源端子５０に設けた電線鎖錠部５２が収納される。１４、１４ａは電線鎖部収納室１３に開孔する電線差込孔と送り配線差込孔、１５はドライバーなどの工具差込口（図４参照）、１６は電線鎖錠部収納室１３と長手方向に連設した刃受部収納室で、該刃受部収納室１６内には図７に示す電源端子５０に設けたアレスタ用刃受部５３が収納される。１７は電線鎖錠部収納室で、該電線鎖錠部収納室１７には図７に示す電源端子５５に折り曲げ形成された電線鎖錠部５７が収納される。１８、１８ａは該電線鎖錠部収納室１７の底面に開孔する電線差込孔と送り配線差込孔、１９は工具差込口（図４参照）、２０は電線鎖錠部収納室１７と長手方向に連設した刃受部収納室で、該刃受部収納室２０内には図７に示す電源端子５５に設けられたアレスタ用刃受部５８が収納される。２１は電線鎖錠部収納室で、該電線鎖錠部収納室２１内には図７に示すアース端子６０に設けた電線鎖錠部６２が収納される。２２、２２ａは該電線鎖錠部収納室２１の底面に開孔する電線差込孔と送り配線差込孔、２３は工具差込口（図４参照）、２４は電線鎖錠部収納室２１と長手方向に連設した刃受部収納室で、該刃受部収納室２４内には図７に示すアース端子６０に設けたアレスタ用刃受部６３が収納される。２５、２５は器台１１の両外側面基部端に縦設された位置決め用の溝口で、該溝口２５は図６に示す蓋体３０に設けた溝口３６と連通し、図１３に示すアレスタ基板収納ケース９０に設けられた位置決め突起９５が嵌合する。【００１６】  図６はコンセント本体を構成する蓋体を示す斜視図で、３０は蓋体、３１は刃受部収納空室で、該刃受部収納空室３１には図７に示す電源端子５０に設けられたプラグ栓刃刃受部５１、電源端子５５に設けられたプラグ栓刃刃受部５６及びアース端子６０に設けられたアース栓刃刃受部６１が収納される。３２はアレスタ���刃差込口で、該アレスタ栓刃差込口３２は前述した器台１１に設けた刃受部収納室１６に開口する。３３はアレスタ栓刃差込口で、該アレスタ栓刃差込口３３は器台１１に設けた刃受部収納室２０に開口する。３４はアレスタ栓刃差込口で、該アレスタ栓刃差込口３４は器台１１に設けた刃受部収納室２４に開口する。３５は蓋体３０の上面に突出形成された位置決め突起で、該位置決め突起３５は図１３に示すアレスタ基板収納ケース９０に設けた位置決め溝９２に嵌合する。３６は蓋体３０の両外側面基部端に縦設された位置決め用の溝口で、該位置決め用の溝口３６は器台１１に設けた位置決め用の溝口２５と連通し、該溝口２５にはアレスタ基板収納ケース９０に設けた位置決め突起９５が嵌合する。３７は電線心線が完全に鎖錠されたか否かを確認するための窓口である。【００１７】  図７は電源端子及びアース端子を示す斜視図で、５０は黄銅、銅等の導電性金属板からなる電源端子、５１は電源端子５０の先端に折り曲げ形成されたプラグ栓刃刃受部、５２は逆凹状に折り曲げ形成された電線鎖錠部で、該電線鎖錠部５２の逆凹状立ち上り部には電源電線接続端子５２ａと送り配線接続端子５２ｂが折り曲げ形成され、図８に示す鎖錠バネ７１との間で電線心線を鎖錠する。５３は図１０に示すアレスタユニット８０に設けた電源栓刃８３が差し込み接続されるアレスタ用刃受部で、該アレスタ用刃受部５３は電線鎖錠部５２の後面から下方に突出させて設けた袖片をＵ状に折り曲げてその先端部を斜め内方に折り曲げ、さらにその先端を斜め外方に折り返して電線鎖錠部５２と連続一体に形成され、電線鎖錠部５２の後面との間でアレスタユニット８０の電源栓刃８３を挟持する。５５は黄銅、銅等の導電性金属板からなる電源端子、５６は該電源端子５５の先端に折り曲げ形成されたプラグ栓刃刃受部、５７は逆凹状に折り曲げ形成された電線鎖錠部で、該電線鎖錠部５７には電源電線接続端子５７ａと送り配線接続端子５７ｂが折り曲げ形成され、図８に示す鎖錠バネ７１との間で電線心線を鎖錠する。５８は図１０に示すアレスタユニット８０の電源栓刃８４が差し込み接続されるアレスタ用刃受部で、該アレスタ用刃受部５８は電線鎖錠部５７の後面から下方に突出させて設けた袖片をＵ状に折り曲げてその先端部を斜め内方に折り曲げ、さらにその先端を斜め外方に折り返して電線鎖錠部５７と連続一体に形成され、電線鎖錠部５７の後面との間でアレスタユニット８０の電源栓刃８４を挟持する。６０は黄銅、銅等の導電性金属板からなるアース端子、６１は該アース端子６０の先端に折り曲げ形成されたアース栓刃刃受部、６２は逆凹状に折り曲げ形成された電線鎖錠部で、該電線鎖錠部６２には電源電線接続端子６２ａと送り配線接続端子６２ｂが折り曲げ形成され、図８に示す鎖錠バネ７１との間で電線心線を鎖錠する。６３は図１０に示すアレスタユニット８０のアース栓刃８５が差し込み接続されるアレスタ用刃受部で、該アレスタ用刃受部６３は電線鎖錠部６２の後面から下方に突出させて設けた袖片をＵ状に折り曲げその先端部を斜め内方に折り曲げ、さらにその先端を斜め外方に折り返して電線鎖錠部６２と連続一体に形成され、電線鎖錠部６２の後面との間でアレスタユニット８��のアース栓刃８５を挟持する。６４はアースターミナル用のアース端子（図１参照）である。【００１８】図８は電線鎖錠部材を示す分解斜視図で、図において７０は鎖錠された電線心線を解錠する解錠釦、７１は一対の鎖錠バネである。【００１９】  而して、コンセント本体１０を組み立てるには、図９に示すように器台１１内に図８に示す解錠釦７０、鎖錠バネ７１、図７に示す電源端子５０、電源端子５５、アース端子６０を順次収納した後、器台１１上に蓋体３０を被せ、器台１１と蓋体３０の先端部に前面カバー４０を嵌装して組み立てる。【００２０】  図１０はアレスタユニットを示す斜視図で、８０はアレスタユニット、８１は後述するアレスタ基板、８３は電源栓刃、８４は電源栓刃、８５はアース栓刃、９０は後述するアレスタ基板収納ケースである。【００２１】  図１１及び図１２はアレスタ基板の斜視図とその回路図で、図１１において８１はアレスタ基板、８２、８２はアレスタ基板８１の両側に前方に突出させて設けた突出板部で、該突出板部８２、８２は図１３に示すアレスタ基板収納ケース９０に設けた中空袖部９４、中空袖部９４内に収納される。このアレスタ基板８１には図１２に示すように温度ヒューズＦ、サージアブソーバＺ１、サージアブソーバＺ２、ガスアレスタＧ、抵抗Ｒ１、抵抗Ｒ２、抵抗Ｒ３、フォトカプラＰ、ダイオードＤ１、２色ＬＥＤが搭載されている。なお、ＬＥＤの代りに、音声警報素子等を用いても良いことは勿論である。８３は電源栓刃、８４は電源栓刃、８５はアース栓刃で、電源栓刃８３、電源栓刃８４及びアース栓刃８５は上方に立ち上がる短冊状の黄銅等の導電性金属板を略Ｕ状に前方に折り返して形成されている。なお、８６は半円形の切欠部で、この切欠部８６は絶縁ケース２の内部に設けた柱状突起（図省略）に当接するのを防ぐための逃げである。【００２２】  図１３はアレスタユニット８０を構成するアレスタ基板収納ケースを示す斜視図である。図において９０は絶縁性樹脂からなるアレスタ基板収納ケース、９１はケース中央部上縁を前方に突出させたヒサシ、９２は該ヒサシ９１の底面に設けられた位置決め用の嵌合溝で、該嵌合溝９２は前述した蓋体３０に設けた位置決め突起３５に嵌合する（図６参照）。９３はアレスタ基板収納ケース９０の中央部に設けられた前面開放空間部で、該前面開放空間部９３には前述したアレスタ基板８１に設けた電源栓刃８３、電源栓刃８４及びアース栓刃８５が位置する。９４は該前面開放空間部９３の両側に突出形成された中空袖部で、前面開放空間部９３と中空袖部９４、中空袖部９４とは相互に連通している。９５は中空袖部９４、中空袖部９４の内側外壁面に相対向して縦設された位置決突起で、該位置決め突起９５，位置決め突起９５は前述したコンセント本体１０を構成する蓋体３０及び器台１１に設けた連通する溝口３６と溝口２５に嵌合する（図３参照）。９６、９６は中空袖部９４、中空袖部９４の前面下端部に穿設された係止口、９７は図１４に示すようにケース後壁底縁に開閉自在にヒンジ結合した底板、９８、９８は底板９７の両側に形成された突出板部、９９は該突出板部９８、突出板部９８の中央部先端板面に設けられた係止突起で、底板９７を閉じた際、突出板部９８、突出板部９８が前記中空袖部９４，中空袖部９４に嵌合し、係止突起９９、係止突起９９が中空袖部９４、中空袖部９４に設けた係止口９６、係止口９６に着脱自在に嵌合係止する。なお、図中１００は半円形の壁面で、この壁面１００は防雨コンセント本体１を構成する絶縁ケース２の内部に設けられた柱状突起（図省略）に当接するのを防ぐための逃げであり、同様に底板９７に設けた半円形切欠部１０１も絶縁ケース２の内部に設けた柱状突起に当接するのを防ぐための逃げである。【００２３】  而して、アレスタユニット８０を組み立てるには、図１５に示すようにアレスタ基板収納ケース９０の底板９７を開いてアレスタ基板８１に設けた突出板部８２、突出板部８２を、アレスタ基板収納ケース９０に設けた中空袖部９４、中空袖部９４内に嵌装し、底板９７を閉じて、該底板９７に設けた係止突起９９、９９を中空袖部９４に設けた係止口９６に嵌合係止させるだけの極めて簡単な作業で組み立てし得る。【００２４】  上述のように構成したアレスタユニット８０をコンセント本体１０と電気的に接続するには、図１６に示すように、アレスタユニット８０に設けた電源栓刃８３、電源栓刃８４、アース栓刃８５を、コンセント本体１０の蓋体３０に設けたアレスタ栓刃差込口３２、アレスタ栓刃差込口３３、アレスタ栓刃差込口３４から差し込み、器台１１に設けた刃受部収納室１６、刃受部収納室２０、刃受部収納室２４内に収納された電源端子５０に設けたアレスタ用刃受部５３、電源端子５５に設けたアレスタ用刃受部５８、アース端子６０に設けたアレスタ用刃受部６３に差し込み接続することで、アレスタユニット８０とコンセント本体１０とは電気的に接続され、且つ、アレスタ基板収納ケース９０のヒサシ９１に設けた位置決め用の嵌合溝９２にコンセント本体１０の蓋体３０に設けた位置決め突起３５が嵌合し、アレスタ基板収納ケース９０の中空袖部９４に設けた位置決め突起９５が、コンセント本体１０の蓋体３０及び器台１１に設けた位置決め用の溝口３６及び該溝口３６と連通する溝口２５に嵌合し、コンセント本体１０とアレスタユニット８０とは機械的にも確実に接続される。【００２５】  最終的に、電気的に接続したアレスタユニット８０とコンセント本体１０を絶縁ケース２内に収納する。【００２６】  上述のように、電気的に接続したアレスタユニット８０とコンセント本体１０を絶縁ケース２内に収納するだけの極めて簡単な作業で雷保護機能付防雨コンセントを製造し得るばかりでなく、雷撃によりヒューズなどの構成部品が破損した場合であっても、アレスタ基板８１は、アレスタ基板収納ケース９０とコンセント本体１０とにより完全に囲われた状態にあり、コンセント本体１０内の電気回路に何等悪影響を及ぼす惧れはない。従って、アレスタ回路がその機能を失した場合には、アレスタユニット８０を取り出し、アレスタ基板８１を交換するだけの極めて簡単な作業で雷保護機能を回復し得る。また、アレスタユニット８０とコンセント本体１０との電気的接続に送り配線接続端子を必要としないので、送り配線を必要とする場合であっても何等支障を来たすことはない。さらに、雷保護機能を必要としない場合には、アレスタユニットを省略する���とでいかようにも対応し得る。さらにまた、コンセント本体１０を組み込んだ絶縁ケース２の空間部をアレスタユニット８０の収納スペースとすることで、絶縁ケース２の外形寸法を従来の絶縁ケースの外形寸法と同一寸法とし得ることから、設置場所等に制約を受けることもない。
【図面の簡単な説明】
【００２７】
【図１】  本発明を前方から見た斜視図
【図２】  本発明を後方から見た斜視図
【図３】  コンセント本体を示す斜視図
【図４】  コンセント本体の裏面斜視図
【図５】  コンセント本体を構成する器台を示す斜視図
【図６】  コンセント本体を構成する蓋体を示す斜視図
【図７】  電源端子及びアース端子を示す斜視図
【図８】  電線鎖錠部材を示す斜視図
【図９】  器台に端子を組み込んだ状態を示す斜視図
【図１０】  アレスタユニットを示す斜視図
【図１１】  アレスタ基板を示す斜視図
【図１２】  アレスタ回路図
【図１３】  アレスタユニットを構成するアレスタ基板収納ケースを示す斜視図
【図１４】  アレスタ基板収納ケースの底板を開いた状態を示す斜視図
【図１５】  アレスタ基板収納ケース内にアレスタ基板を収納する手順を示す斜視図
【図１６】  コンセント本体とアレスタユニットとの接続手順を示す斜視図
【図１７】  従来の雷保護機能付防雨コンセントを示す斜視図
【図１８】  従来の雷保護機能付防雨コンセントを示す斜視図
【図１９】  従来の雷保護機能付防雨コンセントを示す斜視図
【符号の説明】
【００２８】    １０  コンセント本体                      １１  器台
１３  電線鎖錠部収納室                    １６  刃受部収納室
１７  電線鎖錠部収納室                    ２０  刃受部収納室
２１  電線鎖錠部収納室                    ２４  刃受部収納室
３０  蓋体                                ３２  アレスタ栓刃差込口
３３  アレスタ栓刃差込口                  ３４  アレスタ栓刃差込口
４０  前面カバー                          ４１  プラグ栓刃差込口
４２  アース栓刃差込口                    ５０  電源端子
５１  プラグ栓刃刃受部                    ５２  電線鎖錠部
５２ａ  電源電線接続端子                  ５２ｂ  送り配線接続端子
５３  アレスタ用刃受部                    ５５  電源端子
５６  プラグ栓刃刃受部                    ５７  電線鎖錠部
５７ａ  電源電線接続端子                  ５７ｂ  送り配線接続端子
５８  アレスタ用刃受部                    ６０  アース端子
６１  アース栓刃刃受部                    ６２  電線鎖錠部
６２ａ  電源電線接続端子                  ６２ｂ  送り配線接続端子
６３  アレスタ用刃受部                    ８０  アレスタユニット
８１  アレスタ基板                        ８２  突出板部
８３  電源栓刃                            ８４  電源栓刃
８５  アース栓刃                          ９０  アレスタ基板収納ケース
９１  ヒサシ                              ９３  前面開放空間部
９４  中空袖部                            ９７  底板
９８  突出板部
【図１】
0004745112.tif 000002
【図２】
0004745112.tif 000003
【図３】
0004745112.tif 000004
【図４】
0004745112.tif 000005
【図５】
0004745112.tif 000006
【図６】
0004745112.tif 000007
【図７】
0004745112.tif 000008
【図８】
0004745112.tif 000009
【図９】
0004745112.tif 000010
【図１０】
0004745112.tif 000011
【図１１】
0004745112.tif 000012
【図１２】
0004745112.tif 000013
【図１３】
0004745112.tif 000014
【図１４】
0004745112.tif 000015
【図１５】
0004745112.tif 000016
【図１６】
0004745112.tif 000017
【図１７】
0004745112.tif 000018
【図１８】
0004745112.tif 000019
【図１９】
0004745112.tif 000020